(57)【要約】【課題】  遊技媒体の貯留量検出センサと紙幣の入金信号とを直接比較することによって、極めて簡単な構造で安価であるばかりかホッパーモーターの回転を伴わない不正行為にも対応することができる遊技媒体貸機を提供する。【解決手段】  紙幣識別機に投入された紙幣に対して、遊技媒体補給装置を介して供給された遊技媒体を貯留するホッパーから遊技機に使用する遊技媒体を払い出す遊技媒体貸機であって、前記遊技媒体貸機は、該ホッパーに設けられた遊技媒体の貯留量を検出する貯留量検出センサと、前記貯留量検出センサの検出に基づいて遊技媒体の残量を表示する表示装置と、前記紙幣識別機に投入された紙幣の入金確認センサと、前記入金確認センサの入金信号に対して前記貯留量検出センサとによる遊技媒体の貯留量の減少が大きい場合に外部に異常表示する表示装置を備えた不正防止装置を設けたものである。【選択図】  図１
2007054574.tif 000002
【特許請求の範囲】
【請求項１】
紙幣識別機に投入された紙幣に対して、遊技媒体補給装置を介して供給された遊技媒体を貯留するコインホッパーから遊技機に使用する遊技媒体を払い出す遊技媒体貸機であって、前記遊技媒体貸機は、
該コインホッパーに設けられた遊技媒体の貯留量を検出する貯留量検出センサと、
前記貯留量検出センサの検出に基づいて遊技媒体の残量を表示する表示装置とを設けた
ことを特徴とする遊技媒体貸機。
【請求項２】
紙幣識別機に投入された紙幣に対して、遊技媒体補給装置を介して供給された遊技媒体を貯留するコインホッパーから遊技機に使用する遊技媒体を払い出す遊技媒体貸機であって、前記遊技媒体貸機は、
該コインホッパーに設けられた遊技媒体の貯留量を検出する貯留量検出センサと、
前記貯留量検出センサの検出に基づいて遊技媒体の残量を表示する表示装置と、
前記紙幣識別機に投入された紙幣の入金確認センサと、
前記入金確認センサの入金信号に対して前記貯留量検出センサとによる遊技媒体の貯留量の減少が大きい場合に外部に異常表示する表示装置を備えた不正防止装置を設けた
ことを特徴とする請求項１項記載の遊技媒体貸機。
【請求項３】
前記不正防止装置の外部に対する異常表示は、前記表示装置を常態と異なる表示としたことを特徴とする請求項１項および２項記載の遊技媒体貸機。
【請求項４】
前記不正防止装置は、外部に対して異常表示するとともに前記遊技媒体補給装置から前記遊技媒体貸機への遊技媒体の供給を停止した
ことを特徴とする請求項１項ないし３項のいずれかに記載の遊技媒体貸機。
【請求項５】
紙幣識別機に投入された紙幣に対して、遊技媒体補給装置を介して供給された遊技媒体を貯留するコインホッパーから遊技機に使用する遊技媒体を払い出す遊技媒体貸機であって、前記遊技媒体貸機は、
前記コインホッパーと遊技媒体の払い出し口との遊技媒体搬送通路に複数の通過センサを配設するとともに、前記遊技媒体が前記通過センサを通過する毎に前記各々の通過センサに接続された表示部を連続点滅させた第２の不正防止装置を設けた、
ことを特徴とする請求項１項ないし４項のいずれかに記載の遊技媒体貸機。
【請求項６】
前記第２の不正防止装置の前記表示部を前記表示装置とした
ことを特徴とする請求項１項ないし５項のいずれかに記載の遊技媒体貸機。
【発明の詳細な説明】
【技術分野】
【０００１】  本発明は、遊技場に設けられる遊技機に遊技媒体を供給する遊技媒体貸機、とくに外部からの不正行為を監視する不正防止装置を備えた遊技媒体貸機に関する。
【背景技術】
【０００２】  従来、遊技媒体貸機に設けられた不正防止装置は、特開２００５−５２４３０に開示されているように、投入された紙幣が入金信号として出力され、前記入金信号が遊技メダル貸出機等の制御部を介してホッパーモーター電源線に伝達されてホッパーモーターが作動することにより、ホッパー内の遊技メダル又は硬貨等が払い出されるスロットマシン用の遊技メダル貸出機又は硬貨両替機等が設置されて成る遊技場内の不正を検出するシステムとして、ホッパーモーターに流れる電流を検知可能なホッパーモーター電流検知センサが前記ホッパーモーター電源線に取り付けられ、紙幣の投入がなく入金信号が出力されていないにも拘らずホッパーモーターが作動している不正払い出し状態を、前記ホッパーモーター電流検知センサが検知する構成が示されている。【０００３】
【特許文献１】  特開２００５−５２４３０
【発明の開示】
【発明が解決しようとする課題】
【０００４】  しかしながら、前述の従来技術は、紙幣の入金信号とホッパーモーターに設けたホッパーモーター電流検知センサによって検出された検出データとを比較して不正行為を発見していた。このため、新たにホッパーモーター電流検知センサや回路部品が必要となり、部品点数の増加、コストアップとなるばかりか、ホッパーモーターの回転を伴わない不正行為には対処できなかった。【０００５】  本発明は、従来から一般に用いられている遊技媒体の貯留量検出センサから遊技媒体の貯留量を検出し、外部表示することによって極めて簡単な構造で安価であるばかりかホッパーモーターの回転を伴わない不正行為にも対応することができる不正防止装置を備えた遊技媒体貸機を提供することを目的とするものである。
【課題を解決するための手段】
【０００６】  上記の課題を解決するために、本発明は、紙幣識別機に投入された紙幣に対して、遊技媒体補給装置を介して供給された遊技媒体を貯留するホッパーから遊技機に使用する遊技媒体を払い出す遊技媒体貸機であって、前記遊技媒体貸機は、該ホッパーに設けられた遊技媒体の貯留量を検出する貯留量検出センサと、前記貯留量検出センサの検出に基づいて遊技媒体の残量を表示する表示装置を設けたものである。【０００７】  上記のように構成することにより、貯留量検出センサで検出された遊技媒体の残量が異常に早く減少したことを外部に表示することによって不正行為を未然に防止することができる。【０００８】  紙幣識別機に投入された紙幣に対して、遊技媒体補給装置を介して供給された遊技媒体を貯留するコインホッパーから遊技機に使用する遊技媒体を払い出す遊技媒体貸機であって、前記遊技媒体貸機は、該コインホッパーに設けられた遊技媒体の貯留量を検出する貯留量検出センサと、前記貯留量検出センサの検出に基づいて遊技媒体の残量を表示する表示装置と、前記紙幣識別機に投入された紙幣の入金確認センサと、前記入金確認センサの入金信号に対して前記貯留量検出センサとによる遊技媒体の貯留量の減少が大きい場合に外部に異常表示する表示装置を備えた不正防止装置を設けたものである。【０００９】  上記のように構成することにより、従来から用いられている遊技媒体の貯留量検出センサと紙幣の入金信号とを直接比較することによって、極めて簡単な構造で安価であるばかりか、ホッパーモーターの回転を伴わない不正行為にも対応して外部に異常表示をすることによって不正行為を早期に発見し、対処することができる。【００１０】  つぎの発明は、前記不正防止装置の外部に対する異常表示は、前記表示装置を常態と異なる表示としたものである。【００１１】  上記のように構成することにより、正規の払出による遊技媒体の貯留量の減少と不正行為による貯留量の減少を一つの表示装置で表示することによって部品点数の削減とコストの低下が図れる。【００１２】つぎの発明は、前記不正防止装置は、外部に対して異常表示するとともに前記遊技媒体補給装置から前記遊技媒体貸機への遊技媒体の供給を停止したものである。【００１３】  上記のように構成することにより、遊技媒体の供給が停止され、被害の拡大を食い止めることができる。【００１４】  つぎの発明は、紙幣識別機に投入された紙幣に対して、遊技媒体補給装置を介して供給された遊技媒体を貯留するホッパーから遊技機に使用する遊技媒体を払い出す遊技媒体貸機であって、前記遊技媒体貸機は、前記ホッパーと遊技媒体の払い出し口との遊技媒体搬送通路に複数の通過センサを配設するとともに、前記遊技媒体が前記通過センサを通過する毎に前記各々の通過センサに接続された表示部を連続点滅させた第２の不正防止装置を設けたものである。【００１５】  上記のように構成することにより、入金が無い場合、または入金以上の遊技媒体が払出された場合であっても、前述の不正防止装置と併せて第２の不正防止装置により確実に不正を発見することができる。
すなわち、貯留量検出センサ間の遊技媒体の減少を把握することができ、不正防止密度の向上が図れる。【００１６】  つぎの発明は、前記第２の不正防止装置の前記表示部を前記表示装置としたものである。【００１７】  上記のように構成することにより、部品点数の削減が図れ、コスト低減ができる。
【発明の効果】
【００１８】  従来から一般に用いられている遊技媒体の貯留量検出センサから遊技媒体の貯留量を検出し、外部表示することによって極めて簡単な構造で安価であるばかりかホッパーモーターの回転を伴わない不正行為にも対応することができる不正防止装置を備えた遊技媒体貸機が得られる。
【発明を実施するための最良の形態】
【００１９】  以下、本発明を添付図面に基づいて説明する。図１は、本発明の遊技媒体貸機を示した斜視図、図２は、第２の不正防止装置の検出部を示した回路図である。【００２０】  本発明の遊技媒体貸機１は、縦長の矩形形状を成し、内部上方にスタッカ（図示しない）を備えた紙幣識別機１０を配設するとともに下方にコインホッパー２０を配置している。そして、背面には、遊技媒体補給装置３０に連通する遊技媒体４０の補給管３１が接続されている。また、遊技媒体貸機１の前面には、コインホッパー２０と連通する遊技媒体４０の排出ノズル５０と紙幣識別機１０に形成された紙幣投入口１１が突出されている。更に、この紙幣投入口１１の下側には、表示装置６０が取り付けられている。この表示装置６０は、コインホッパー２０に貯留されている遊技媒体４０の残量を表示するとともに不正行為が成された場合その異常を外部表示する。紙幣識別機１０に設けられた入金確認センサ１２とコインホッパー２０に配置されている貯留量検出センサ２４（２４ａ、２４ｂ、２４ｃ、２４ｄ）と制御装置Ｃとで不正防止装置を構成している。【００２１】  紙幣識別機１０は、紙幣投入口１１から投入された紙幣の投入を確認するとともに金種と枚数を識別カウントする入金確認センサ１２と紙幣を収納するスタッカ（図示しない）を有する。そして、紙幣の投入を確認するとともに金種ならびに枚数などのデータを検出して外部に電気信号で発信する入金確認センサ１２を備えている。【００２２】  コインホッパー２０は、遊技媒体４０の収納部２１の下側外部に固定され収納部２１の内部に配設された遊技媒体４０を排出する回転板（図示しない）と該回転板（図示しない）を回転させるホッパーモーター２２と遊技媒体４０の排出路２３を形成している。遊技媒体４０は、この排出路２３から排出ノズル５０に導出される。そして、コインホッパー２０の収納部２１の側壁内側には、複数（実施例では４段階）の貯留量検出センサ２４（２４ａ、２４ｂ、２４ｃ、２４ｄ）が設置されており、収納部２１に貯留された遊技媒体４０の残量（貯留量）を検出し、そのデータを制御装置Ｃに送信している。このデータに基づいて表示装置６０の発光体６１〜６４のうちそのデータに対応する発光体６１〜６４を点灯させる。【００２３】  遊技媒体補給装置３０は、遊技媒体貸機１に接続された補給管３１と島端に設けられた遊技媒体貯留タンク（図示しない）から遊技媒体４０を搬送する搬送機３２と該搬送機３２から補給管３１に遊技媒体４０を分流させる切り替え部３３を有する。そして、この遊技媒体補給装置３０には、制御装置Ｃからの補給停止信号を受けて、補給管３１へ遊技媒体４０を流さないよう切り替え部３３を制御する制御板３４が任意の位置に取り付けられている。【００２４】  排出ノズル５０は、遊技媒体貸機１の前面下方に配置され、一端が前述のコインホッパー２０に形成された排出路２３に連通され、他端が遊技機（図示しない）に遊技媒体４０を供給している。【００２５】  表示装置６０は、遊技媒体貸機１の前面に設けられており、貯留量検出センサ２４（２４ａ、２４ｂ、２４ｃ、２４ｄ）に対応する発光体６１〜６４を有する。常態では、貯留量検出センサ２４中の一つ���センサ、例えば、貯留量検出センサ２４ａに遊技媒体４０が達するとその信号が制御装置Ｃに送信され、対応する表示装置６０の発光体６１を発光させる。この表示装置６０の最下位レベルの発光体６４が発光すると遊技媒体貸機１に遊技媒体４０を補給する。【００２６】  不正防止装置は、表示装置６０によって外部表示された遊技媒体４０の残量を外部から確認し、異常に早く残量が減少した場合をもって不正を未然に防止することができることに加え、前述の入金確認センサ１２と貯留量検出センサ２４と制御装置Ｃならびに表示装置６０とで構成されている。すなわち、遊技媒体貸機１の入金確認センサ１２で紙幣の入金が確認されない状態で遊技媒体４０が払い出されると収納部２１内の遊技媒体４０が減っていき、そのレベルが貯留量検出センサ２４の一つに達するとそのセンサに対応する表示装置６０、例えば、貯留量検出センサ２４ａと発光体６１が発光点滅する。以降順に遊技媒体４０の残量（貯留量）を貯留量検出センサ２４ｂ、２４ｃ、２４ｄで検出した結果、対応する表示装置６０の発光体６２，６３，６４を発光点滅させる。このことにより表示装置６０に遊技媒体４０の減少が常態と異なる状態で段階的に表示する。すなわち、入金確認センサ１２で入金が確認されていない状態で表示装置６０が発光点滅すれば、遊技媒体４０の貯留量が異常状態で減少していると判断され、即、何らかの不正が行なわれているものと確信して制御装置Ｃから制御板３４に信号を送り、遊技媒体貸機１への遊技媒体４０の供給を停止し被害の拡大を防止することもできる。【００２７】  また、本実施例においては、第２の不正防止装置が付加されている。この第２の不正防止装置は、排出ノズル５０のコインホッパー２０側から遊技媒体４０の払い出し口５１方向に上流から下流に向けて設けられている複数の通過センサＳ１〜Ｓ４と前述の表示装置６０と紙幣識別機１０に設けられた入金確認センサ１２とコインホッパー２０に配置されている貯留量検出センサ２４（２４ａ、２４ｂ、２４ｃ、２４ｄ）と制御装置Ｃとで構成されている。そして、この通過センサＳ１〜Ｓ４、例えば、通過センサＳ１は、図２に示すように発光部Ｓ１１と受光部Ｓ１２を有し、その間を遊技媒体４０が通過すると、その信号が制御装置Ｃに送信して、表示装置６０の表示体６１を発光させ、通過し終わると表示体６１を消光させる。このようにして順次、遊技媒体４０の通過に対応して発光体６１〜６４が発光、消光しあたかも光が上方から下方に川のように流れるように表示装置６０を発光表示させる。【００２８】  この、実施例における表示装置６０は、貯留量検出センサ２４（２４ａ、２４ｂ、２４ｃ、２４ｄ）に対応する発光体６１〜６４を第２の不正防止装置の通過センサＳ１〜Ｓ４に対応する表示部として前述の不正防止装置の表示装置６０を兼用して用いているが第２の不正防止装置の表示部を表示装置６０の発光体６１〜６４に替えて、独立した表示部として設けても良い。尚、この発光体６１〜６４を同一色に設定しても良いが、各々固有の色に配色することによって表示効果をより明確にすることもできる。【００２９】  本発明の遊技媒体貸機１は、以上のように構成されているので、表示装置６０に��って外部表示された遊技媒体４０の残量を外部から確認し、異常に早く残量が減少した場合をもって不正を未然に防止することができることに加え、遊技媒体貸機１に入金が無い状態で遊技媒体が払い出されると貯留量検出センサ２４が遊技媒体の残量（貯留量）を検出し表示装置６０にその量を段階的に表示する。すなわち、入金が無い状態で貯留量が減少している状態となれば何らかの不正が行なわれているものと判断され、制御装置Ｃから制御板３４に信号を送信して搬送機３２を停止し被害の拡大を防止する。また、同時に第２の不正防止装置が作用して表示装置６０の表示体６１〜６４を順次流れるように点滅させるため遊技媒体を不正に払い出している状態が逐次外部に表示され関係者の注意を喚起させる。尚、入金以上に遊技媒体の払い出しが行なわれた場合も同様にして不正防止装置が作動し、関係者の注意を喚起させるとともに遊技媒体貸機１への遊技媒体４０の供給を停止させる。
【図面の簡単な説明】
【００３０】
【図１】本発明の遊技媒体貸機を示した斜視図である。
【図２】第２の不正防止装置の検出部を示した回路図である。
【符号の説明】
【００３１】１  遊技媒体貸機
１０  紙幣識別機
１１  紙幣投入口
１２  入金確認センサ
２０  コインホッパー
２１  収納部
２２  ホッパーモーター
２３  排出路
２４（２４ａ、２４ｂ、２４ｃ、２４ｄ）  貯留量検出センサ
３０  遊技媒体補給装置
３１  補給管
３２  搬送機
３３  切り替え部
３４  制御板
４０  遊技媒体
５０  排出ノズル
５１  払い出し口
６０  表示装置
６１〜６４  表示体
Ｃ  制御装置
Ｓ１〜Ｓ４  通過センサ
Ｓ１１  発光部
Ｓ１２  受光部
【図１】
2007054574.tif 000003
【図２】
2007054574.tif 000004